(57)【特許請求の範囲】
【請求項１】
ベッド脇に配置された複数の医療用ポンプを管理するための医療用ポンプモニタ装置であって、
医療用ポンプに設けられたポンプ識別情報を順次に読み込むための読取端末と、
前記ポンプ識別情報に関連付けされたポンプ情報を、前記読取端末による前記ポンプ識別情報の読み込み順を保ったレイアウトで表示するための画像データを作成する演算処理部とを備え、
前記読取端末は、各ベッドに対応するベッド識別情報を読み込み、
前記演算処理部は、前記ポンプ識別情報および前記ベッド識別情報の読み込み順を保ったレイアウトで、前記ポンプ情報と共にベッド位置情報を表示するための画像データを作成する
医療用ポンプモニタ装置。
【請求項２】
前記読取端末は、複数の医療用ポンプを装着するためのポンプラックに設けられたラック識別情報を読み込み、
前記演算処理部は、前記ラック識別情報に関連付けられたポンプ装着位置情報とポンプ情報とに基づき、前記読取端末による前記ポンプ識別情報および前記ラック識別情報の読み込み順を保ちつつ、さらに前記ポンプ装着位置情報に基づく装着順を保ったレイアウトで、前記ポンプ情報を表示するための画像データを作成する
請求項１に記載の医療用ポンプモニタ装置。
【請求項３】
ベッド脇に配置された複数の医療用ポンプを管理するための医療用ポンプモニタ装置であって、
医療用ポンプに設けられたポンプ識別情報を順次に読み込むための読取端末と、
前記ポンプ識別情報に関連付けされたポンプ情報を、前記読取端末による前記ポンプ識別情報の読み込み順を保ったレイアウトで表示するための画像データを作成する演算処理部とを備え、
前記読取端末は、複数の医療用ポンプを装着するためのポンプラックに設けられたラック識別情報を読み込み、
前記演算処理部は、前記ラック識別情報に関連付けられたポンプ装着位置情報とポンプ情報とに基づき、前記読取端末による前記ポンプ識別情報および前記ラック識別情報の読み込み順を保ちつつ、さらに前記ポンプ装着位置情報に基づく装着順を保ったレイアウトで、前記ポンプ情報を表示するための画像データを作成する
医療用ポンプモニタ装置。
【請求項４】
ベッド脇に配置された複数の医療用ポンプに設けられたポンプ識別情報を所定の順序に従って読み込む読込ステップと、
前記ポンプ識別情報の読み込み順を保ったレイアウトで、当該ポンプ識別情報に関連付けされたポンプ情報を表示するための画像データを作成するデータ作成ステップと、
前記データ作成ステップで作成した画像データを表示する表示ステップとを備え、
前記読込ステップは、複数の医療用ポンプと共に配置されたベッドに対応するベッド識別情報を、前記ポンプ識別情報と同様に前記所定の順序に従って読み込み、
前記データ作成ステップは、前記ポンプ識別情報および前記ベッド識別情報の読み込み順を保ったレイアウトで、前記ポンプ情報と共にベッド位置情報を表示するための画像データを作成する
医療用ポンプモニタ方法。
【請求項５】
前記読込ステップは、複数の医療用ポンプを装着するためのポンプラックに設けられたラック識別情報を、前記ポンプ識別情報と同様に前記所定の順序に従って読み込み、
前記データ作成ステップは、前記ラック識別情報に関連付けられたポンプ装着位置情報とポンプ情報とに基づき、前記ポンプ識別情報および前記ラック識別情報の読み込み順を保ちつつ、さらに前記ポンプ装着位置情報に基づく装着順を保ったレイアウトで、前記ポンプ情報を表示するための画像データを作成する
請求項４に記載の医療用ポンプモニタ方法。
【請求項６】
ベッド脇に配置された複数の医療用ポンプに設けられたポンプ識別情報を所定の順序に従って読み込む読込ステップと、
前記ポンプ識別情報の読み込み順を保ったレイアウトで、当該ポンプ識別情報に関連付けされたポンプ情報を表示するための画像データを作成するデータ作成ステップと、
前記データ作成ステップで作成した画像データを表示する表示ステップとを備え、
前記読込ステップは、複数の医療用ポンプを装着するためのポンプラックに設けられたラック識別情報を、前記ポンプ識別情報と同様に前記所定の順序に従って読み込み、
前記データ作成ステップは、前記ラック識別情報に関連付けられたポンプ装着位置情報とポンプ情報とに基づき、前記ポンプ識別情報および前記ラック識別情報の読み込み順を保ちつつ、さらに前記ポンプ装着位置情報に基づく装着順を保ったレイアウトで、前記ポンプ情報を表示するための画像データを作成する
医療用ポンプモニタ方法。
【請求項７】
前記読込ステップは、複数の医療用ポンプの配置状態に従って、一方の端から他方の端に向かって、順次前記ポンプ識別情報の読み込みを行う
請求項４〜６の何れかに記載の医療用ポンプモニタ方法。
【請求項８】
前記データ作成ステップは、前記読込ステップにおいて直前に読み込まれたポンプ識別情報に関連付けされたポンプ情報を登録した位置に対し、所定方向に隣接する位置から順に次に読み込まれるポンプ識別情報に関連付けされたポンプ情報を登録する
請求項４〜７の何れかに記載の医療用ポンプモニタ方法。
【発明の詳細な説明】
【技術分野】
【０００１】
本発明は、医療用ポンプモニタ装置および医療用ポンプモニタ方法に関し，特には一人の患者に対して複数の医療用ポンプを用いた治療を行う場合のポンプ管理に好適に用いられる医療用ポンプモニタ装置および医療用ポンプモニタ方法に関する。
【背景技術】
【０００２】
医療現場においては、一人の患者に対して複数の医療用ポンプを用いた治療が行われている。この場合、複数の医療用ポンプから取得されたポンプ情報に基づいて、複数の医療用ポンプのポンプ動作を集約的に管理する必要がある。そこで、複数のポンプから取得されたデータを処理し、単一のディスプレイイメージとして、同時に動作する複数のポンプを識別し、同時に動作する複数のポンプについての個別の状態情報を表示するシステムが提案されている（例えば、下記特許文献１参照）。【０００３】
このシステムによれば、例えば、当該患者に対して認証された複数のポンプに関する情報が、単一のディスプレイイメージにおいて集約的に検知される。
【先行技術文献】
【特許文献】
【０００４】
【特許文献１】特開２００５−２８１０２号公報
【発明の概要】
【発明が解決しようとする課題】
【０００５】
しかしながら上述したシステムは、単一のディスプレイイメージ上において、複数のポンプに関する情報を一覧で表示する構成となっている。このため、例えばディスプレイイメージ上において、複数のポンプのうちの１つの駆動状態が異常であると検知された場合、そのポンプが患者のベッドサイドに配置されている実際のポンプのうちのどのポンプに該当するのかを瞬時に特定することが困難である。このため、緊急対応時の医療ミスを誘発する要因ともなり得る。【０００６】
そこで本発明は、表示画像上のポンプ情報とベッドサイドに配置された実際のポンプとを容易に対応付けすることが可能な、医療用ポンプモニタ装置および医療用ポンプモニタ方法を提供することを目的とする。
【課題を解決するための手段】
【０００７】
このような目的を達成するための本発明の医療用ポンプモニタ装置は、医療用ポンプに設けられたポンプ識別情報を順次に読み込むための読取端末と、前記ポンプ識別情報に関連付けされたポンプ情報を、前記読取端末による前記ポンプ識別情報の読み込み順を保ったレイアウトで表示するための画像データを作成する演算処理部とを備えている。【０００８】
また本発明の医療用ポンプモニタ方法は、ベッド脇に配置された複数の医療用ポンプに設けられたポンプ識別情報を所定の順序に従って読み込む読込ステップと、前記ポンプ識別情報の読み込み順を保ったレイアウトで、当該ポンプ識別情報に関連付けされたポンプ情報を表示するための画像データを作成するデータ作成ステップと、前記データ作成ステップで作成した画像データを表示する表示ステップとを備えている。【０００９】
以上のような医療用ポンプモニタ装置および医療用ポンプモニタ方法では、読取端末によるポンプ識別情報の読み込み順を、ポンプの配置に沿った順にすることで、実際のポンプの配列を反映したレイアウトで、複数のポンプのポンプ情報を表示することができる。
【発明の効果】
【００１０】
以上説明したように本発明によれば、実際のポンプＰｎの配列を反映したレイアウトで、複数のポンプのポンプ情報を表示することができるため、表示画像上のポンプ情報と、ベッドサイドに配置された実際のポンプとを容易に対応付けすることが可能になる。この結果、複数のポンプの中から迅速に目的のポンプを検知し、的確な緊急対応を行うことが可能になる。
【図面の簡単な説明】
【００１１】
【図１】実施形態の医療用ポンプモニタ装置およびその適用環境を説明するための全体構成図である。
【図２】演算処理部における画像データの作成に用いるデータ登録画面の一例を示す図である。
【図３】演算処理部における画像データの作成を説明するフローチャート（その１）である。
【図４】演算処理部における画像データの作成を説明するフローチャート（その２）である。
【図５】実施形態の医療用ポンプモニタ方法を説明する模式図（その１）である。
【図６】実施形態の医療用ポンプモニタ方法を説明する模式図（その２）である。
【図７】実施形態の医療用ポンプモニタ方法を説明する模式図（その３）である。
【図８】実施形態の医療用ポンプモニタ方法を説明する模式図（その４）である。
【図９】実施形態の医療用ポンプモニタ方法を説明する模式図（その５）である。
【図１０】実施形態の医療用ポンプモニタ装置におけるセントラルモニタの表示画像（その１）を示す図である。
【図１１】実施形態の医療用ポンプモニタ装置におけるセントラルモニタの表示画像（その２）を示す図である。
【図１２】実施形態の医療用ポンプモニタ装置におけるベッドサイドモニタの表示画像を示す図である。
【発明を実施するための形態】
【００１２】
以下、本発明の医療用ポンプモニタ装置および医療用ポンプモニタ方法に関する実施の形態を、図面に基づいて詳細に説明する。以下においては、実施形態の医療用ポンプモニタ装置、およびこれを用いた医療用ポンプモニタ方法の順に説明を行う。
【００１３】
≪医療用ポンプモニタ装置≫
図１は、本発明の医療用ポンプモニタ装置を適用してポンプ管理を行う環境の全体構成図である。図１に示すように、医療用ポンプモニタ装置１（以下、単に「モニタ装置１」と記す）は、ベッドＢの脇に複数の医療用ポンプＰ１，Ｐ２，…（以下、代表して「ポンプＰｎ」と記す）が配置された環境において、これらのポンプＰｎの駆動状態を管理するために用いられる装置である。各医療用ポンプＰｎは、ポンプラックＬ１，Ｌ２，…（以下、代表して「ラックＬｍ」と記す）に装着されていてもよい。
【００１４】
このモニタ装置１が適用される環境において、各ポンプＰｎにはポンプ情報保持部２１が設けられている。ラックＬｍにはラック情報保持部２３が設けられている。さらにベッドＢにはベッド情報保持部２５が設けられている。
【００１５】
そしてモニタ装置１は、情報読み取り用の読取端末３０、入出力制御部４１と演算処理部４３と記憶部４５を有するサーバ４０、セントラルモニタ５１、およびベッドサイドモニタ５３を備えている。これらの各構成要素は、例えば環境内に設けられた通信網によって、ネットワーク通信可能となっている。この通信網は、例えば院内ＬＡＮ６０であり、院内ＬＡＮ６０は無線ＬＡＮまたは有線ＬＡＮのいずれであってもよい。
【００１６】
＜ポンプＰｎ＞
ポンプＰｎは、シリンジポンプおよび輸液ポンプなどの医療用ポンプ全般である。これらの各ポンプＰｎは、操作部１１および表示部１３を備えている。操作部１１は、例えば電源操作部、ポンプ動作を開始させるための操作部、流量／投与量の設定操作部、および表示切換操作部を含み、この操作部１１によって、ポンプ駆動部によるポンプの駆動が操作される構成となっている。また表示部１３は、例えば液晶表示パネルである。
【００１７】
また各ポンプＰｎは、ここでの図示を省略した入出力制御部および外部との通信手段を有して院内ＬＡＮ６０に接続され、接続されたことによってポンプ識別情報と共にその駆動状態を含むポンプ情報を院内ＬＡＮ６０を介してサーバ４０に送信する。
【００１８】
さらにポンプＰｎのうち、特にラックＬｍに装着して用いられるものは、ラックＬｍとの間で情報通信が可能な近距離通信手段を有している。この近距離通信手段は、例えば赤外線通信を行うものであり、ラックＬｍに設けた近距離通信手段との通信が可能であり、ポンプＰｎが有するポンプ識別情報がラックＬｍに送信される構成となっている。
【００１９】
＜ポンプ情報保持部２１＞
ポンプ情報保持部２１は、各ポンプＰｎのそれぞれに設けられ、各ポンプＰｎに対して１：１で関連付けられたポンプ識別情報を有する。ポンプ識別情報は、例えばバーコードのようなコード情報であってよく、このようなコード情報を備えたポンプ情報保持部２１は、例えばバーコードを有するシールやプレートである。そして、ポンプ情報保持部２１が有するポンプ識別情報は、ポンプＰｎそのものが有するポンプ識別情報と関連付けされ、サーバ４０における記憶部４５のポンプ識別情報テーブルＴ１に予め記憶されていることとする。
【００２０】
＜ラックＬｍ＞
ラックＬｍは、複数のポンプＰｎを装着するためのものであって、各ポンプＰｎが上下方向の決められた位置に固定される構成となっている。図示した例においては、ラックＬ１，Ｌ２は、それぞれ９個のポンプＰｎを装着可能な構成である。そして、これらのラックＬ１，Ｌ２は、それぞれ３つのポンプＰ３〜Ｐ５，Ｐ６〜Ｐ８を装着している。３つのポンプＰ３〜Ｐ５，Ｐ６〜Ｐ８は、ラックＬ１，Ｌ２の上方から１段目、２段目、３段目に装着されている。
【００２１】
また各ラックＬｍは、ここでの図示を省略した入出力制御部および外部との通信手段を有して院内ＬＡＮ６０に接続されおり、ポンプＰｎの装着位置情報が院内ＬＡＮ６０を介してサーバ４０に送信される構成となっている。この通信手段からは、ラック識別情報と共に、ポンプ装着位置情報および、装着されたポンプのポンプ識別情報が院内ＬＡＮ６０を介してサーバ４０に送信される。
【００２２】
＜ラック情報保持部２３＞
ラック情報保持部２３は、各ラックＬｍに設けられ、各ラックＬｍに対して１：１で関連付けられたラック識別情報を有する。このようなラック情報保持部２３は、上述したポンプ情報保持部２１と同様のものであり、例えばバーコードを有するシールやプレートである。そして、ラック情報保持部２３が有するラック識別情報は、ラックＬｍそのものが有するラック識別情報と関連付けされ、予めサーバ４０における記憶部４５のラック識別情報テーブルＴ２に予め記憶されていることとする。
【００２３】
＜ベッド情報保持部２５＞
ベッド情報保持部２５は、各ベッドＢのそれぞれに設けられ、各ベッドＢに対して１：１で関連付けられたベッド識別情報を有する。このようなベッド情報保持部２５は、上述したポンプ情報保持部２１およびラック情報保持部２３と同様のものであり、例えばバーコードを有するシールやプレートである。なお、ベッド識別情報は、各患者に付与される患者識別情報であってもよい。この場合、ベッド情報保持部２５は、例えば各患者が保持する患者情報保持部になる。またベッド情報保持部２５に保持されたベッド識別情報は、ベッドが設置された位置等を特定するベッド情報と関連付けられ、サーバ４０における記憶部４５のベッド識別情報テーブルＴ３に予め記憶されていることとする。
【００２４】
＜読取端末３０＞
読取端末３０は、モニタ装置１を構成するものである。この読取端末３０は、ポンプ情報保持部２１、ラック情報保持部２３、およびベッド情報保持部２５から情報を読み取るための端末装置である。したがって、ポンプ情報保持部２１、ラック情報保持部２３、およびベッド情報保持部２５が有する各識別情報がバーコードである場合、この読取端末３０は、バーコードリーダである。この読取端末３０は、操作部３１および表示部３３を備えている。操作部３１は、例えば読み取り動作を開始または終了させるための、開始情報および終了情報を入力する部分である。また表示部３３は、例えば液晶表示パネルである。
【００２５】
＜入出力制御部４１（サーバ４０）＞
入出力制御部４１は、モニタ装置１を構成するものである。この入出力制御部４１は、読取端末３０によって読み取った各識別情報と、各ポンプＰｎから送信された各ポンプＰｎのポンプ情報と、ラックＬｍの通信手段から送信されたポンプ装着位置情報およびポンプ識別情報とを取得し、記憶部４５に記憶させる。
【００２６】
また入出力制御部４１は、入出力制御部４１で取得した情報、記憶部４５に記憶された情報に基づいて、新たなデータテーブルを作成して記憶部４５に記憶させる。
【００２７】
入出力制御部４１は、ポンプＰｎからポンプ情報を取得した場合、ポンプ情報と共に取得したポンプ識別情報を、記憶部４５のポンプ識別情報テーブルＴ１に記憶された情報と照合する。そして、ポンプ情報保持部２１が有するポンプ識別情報に対して、取得したポンプ情報を関連付けし、記憶部４５のポンプ情報テーブルＴ４に記憶させる。
【００２８】
さらに入出力制御部４１は、ラックＬｍからポンプ装着位置情報とポンプ識別情報とを取得した場合、取得した情報を記憶部４５のポンプ識別情報テーブルＴ１およびラック識別情報テーブルＴ２と照合する。そして入出力制御部４１は、ラック情報保持部２３が有するラック識別情報に対して、各ポンプ装着位置とポンプ識別情報とを関連付けし、記憶部４５のポンプ装着位置情報テーブルＴ５に記憶させる。このポンプ装着位置情報テーブルＴ５は、どのラックＬｍの、どの装着位置に、どのポンプＰｎが装着されているのかを示すテーブルである。
【００２９】
また入出力制御部４１は、演算処理部４３の処理によって作成された画像データを、セントラルモニタ５１およびベッドサイドモニタ５３に表示させる。
【００３０】
＜演算処理部４３（サーバ４０）＞
演算処理部４３は、モニタ装置１を構成するものである。この演算処理部４３は、入出力制御部４１で取得した情報、記憶部４５に記憶された情報に基づいて、セントラルモニタ５１およびベッドサイドモニタ５３においてポンプ情報を表示するための画像データを作成する。この演算処理部４３によって実行される画像データの作成の詳細については後述する。
【００３１】
＜記憶部４５（サーバ４０）＞
記憶部４５は、モニタ装置１を構成するものである。この記憶部４５は、入出力制御部４１で作成した関連付けに関する情報、およびその他の情報を記憶する。記憶部４５に記憶される主な情報は次の通りである。
【００３２】
［ポンプ識別情報テーブルＴ１］
ポンプ識別情報テーブルＴ１は、ポンプ情報保持部２１が有するポンプ識別情報と、ポンプＰｎから送信されるポンプ識別情報との関連付けテーブルである。
【００３３】
［ラック識別情報テーブルＴ２］
ラック識別情報テーブルＴ２は、ラック情報保持部２３が有するラック識別情報と、ラックＬｍから送信されるラック識別情報との関連付けテーブルである。
【００３４】
［ベッド識別情報テーブルＴ３］
ベッド識別情報テーブルＴ３は、ベッド情報保持部２５に保持されたベッド識別情報と、ベッドＢの設置位置等を特定するベッド情報との関連付けテーブルである。
【００３５】
［ポンプ情報テーブルＴ４］
ポンプ情報テーブルＴ４は、ポンプ情報保持部２１が有するポンプ識別情報と、ポンプＰｎから送信されたポンプ情報との関連付けテーブルである。
【００３６】
［ポンプ装着位置情報テーブルＴ５］
ポンプ装着位置情報テーブルＴ５は、ラック情報保持部２３が有するラック識別情報と、ラックＬｍから送信されたポンプ装着位置とポンプ識別情報との関連付けテーブルであり、どのラックＬｍの、どの装着位置に、どのポンプＰｎが装着されているのかを示すテーブルである。
【００３７】
［データ登録画面テーブルＴ６］
データ登録画面テーブルＴ６は、図２に示すように画像データの作成に用いるデータ登録画面Ａに対応するテーブルである。このデータ登録画面Ａは、ポンプ表示部ａｐと、ラック表示部ａｌと、ベッド表示部ａとを有する。例えばデータ登録画面Ａは、ベッド表示部ａを中心とした左右に、単体のポンプを表示するポンプ表示部ａｐと、ラックを表示するラック表示部ａｌとが交互に設定されている。図示した例においては、ベッド表示部ａよりも左側の表示エリアと右側の表示エリアとのそれぞれに、４列のポンプ表示部ａｐと３列のラック表示部ａｌとが、交互に設定されている。
【００３８】
詳しくは、左端からｍ＝１列目に、単体のポンプ表示部ａｐがｎ＝１〜３行目まで設定され、ｍ＝２列目にラック表示部ａｌが設定され、ｍ＝３列目に単体のポンプ表示部ａｐがｎ＝１〜３行目まで設定され、また、各ラック表示部ａｌは、複数のポンプ表示部ａｐ’を有している。これらのポンプ表示部ａｐ’は、ｎ行方向に配置されている。
【００３９】
＜セントラルモニタ５１＞
セントラルモニタ５１は、モニタ装置１を構成するものである。セントラルモニタ５１は、複数のベッドＢに対応して配置された複数のポンプＰｎを管理するためのもので、例えばナースステーションに配置される。このようなセントラルモニタ５１は、例えばパーソナルコンピュータの表示部であり、サーバ４０からの指示により、演算処理部４３で作成した画像データに基づいて、各ベッドＢに関するベッド情報、およびベッドＢ脇に配置されたポンプＰｎのポンプ情報が表示される。
【００４０】
＜ベッドサイドモニタ５３＞
ベッドサイドモニタ５３は、モニタ装置１を構成するものである。ベッドサイドモニタ５３は、ベッドＢの脇に配置されるものであり、表示のみを行うモニタ装置であってよい。このベッドサイドモニタ５３には、サーバ４０からの指示により、演算処理部４３で作成した画像データに基づいて、１つのベッドＢの脇に配置されたポンプＰｎのポンプ情報が表示される。
【００４１】
＜モニタ装置１の動作＞
次に、以上のような構成のモニタ装置１の動作として、主に演算処理部４３において実行される画像データの作成手順を、先の図１および図２を参照しつつ、図３および図４のフローチャートに従って説明する。
【００４２】
先ず、読取端末３０から入力された開始情報によって処理が開始される。その後、演算処理部４３は、列情報ｍおよび行情報ｎを初期化し、ｍ＝０，ｎ＝０とする（ステップＳ１０１）。次に、演算処理部４３は、読取端末３０の識別情報およびその他の情報の入力を待つ（ステップＳ１０２）。
【００４３】
その後、演算処理部４３は、読取端末３０から入力された情報が、何れの識別情報であるかを判断する（ステップＳ１０３〜ステップＳ１０５）。ステップＳ１０３においてベッド識別情報である（Ｙｅｓ）と判断した場合、ステップＳ３０１に進む。ステップＳ１０４においてラック識別情報である（Ｙｅｓ）と判断した場合、図４のステップＳ２０１に進む。ステップＳ１０５においてポンプ識別情報である（Ｙｅｓ）と判断した場合、ステップＳ１０６に進む。その何れでもなければ終了情報であると判断し、ステップＳ１０５からステップＳ４０１に進む。
【００４４】
ここで、ポンプ識別情報であると判断されてステップＳ１０６に進んだ場合、演算処理部４３は、前回の入力がポンプ識別情報か否かを判断する。前回の入力がポンプ識別情報である（Ｙｅｓ）と判断した場合、ステップＳ１０８に進み、行情報ｎをｎ＝ｎ＋１に書き換える。一方、ステップＳ１０６において、前回の入力がポンプ識別情報ではない（Ｎｏ）と判断した場合、ステップＳ１０７に進む。演算処理部４３は、ステップＳ１０７において、前回の入力がラック識別情報か否かを判断する。ラック識別情報である（Ｙｅｓ）と判断した場合、ステップＳ１０９に進み、列情報ｍをｍ＝ｍ＋１に書き換え、行情報をｎ＝１に書き換える。ラック識別情報ではない（Ｎｏ）と判断した場合、ステップＳ１１０に進み、列情報ｍをｍ＝ｍ＋１に書き換え、行情報をｎ＝ｎ＋１に書き換える。
【００４５】
その後、演算処理部４３は、以上のステップＳ１０８〜Ｓ１１０で書き換えられた列情報ｍおよび行情報ｎに従い、先に図２に示したデータ登録画面Ａを作成するためのテーブルにおいてベッド表示部ａよりも左側の表示エリアで、左からｍ列目、上からｎ行目の表示部に、入力されたポンプ識別情報を関連付けして登録する（ステップＳ１１１）。
【００４６】
一方、演算処理部４３は、ステップＳ１０４においてラック識別情報が入力されたと判断し、図４に示すステップＳ２０１に進んだ場合、前回の入力がポンプ識別情報であったか否かを判断する。ポンプ識別情報である（Ｙｅｓ）と判断した場合には、ステップＳ２０２に進む。一方、ポンプ識別情報ではない（Ｎｏ）と判断した場合にはステップＳ２０３に進み、列情報ｍをｍ＝ｍ＋１に書き換えてステップＳ２０２に進む。
【００４７】
次に、演算処理部４３は、ステップＳ２０２において、列情報ｍをｍ＝ｍ＋１に書き換え、先に図２に示したデータ登録画面Ａを作成するためのテーブルにおいてベッド表示部ａよりも左側の表示エリアで、該当列のラック表示部ａｌに対しラック登録を行う。ここでは、ラック識別情報に関連付けされたポンプ装着位置に対応する各行に各ポンプ識別情報を登録する。その後、図３に示すステップＳ１０２に戻り、入力待ちを行う。
【００４８】
また、演算処理部４３は、ステップＳ１０３において、ベッド識別情報が入力されたと判断してステップＳ３０１に進んだ場合、図２に示したデータ登録画面Ａを作成するためのテーブルにおけるベッド表示部ａに、ベッド識別情報を登録する。
【００４９】
その後、演算処理部４３は、次回からの登録処理においては、データ登録画面Ａ中におけるベッド表示部ａよりも右側の表示エリアに登録を行うように登録エリアを移動する処理を行う（ステップＳ３０２）。次いで演算処理部４３は、ステップ１０１に戻り、列情報ｍおよび行情報ｎを初期化し、ｍ＝０，ｎ＝０とする（ステップＳ１０１）。
【００５０】
以降は、先に説明した処理によるポンプ識別情報の登録を、データ登録画面Ａ中におけるベッド表示部ａよりも右側の表示エリアに対して実行する。
【００５１】
また、演算処理部４３は、ステップＳ１０５において、入力された情報が識別情報の何れでもない（終了情報）と判断してステップＳ４０１に進んだ場合、情報が登録されていない列の表示部を削除し、処理を終了させる。
【００５２】
以上説明したように、演算処理部４３は、図２のように設定したデータ登録画面Ａに対して、入力された識別情報に関連付けされたポンプ情報を登録する際、前回に入力された情報の種類によって列情報ｍおよび行情報ｎを書き換える処理を行う構成である。これにより、直前にポンプ情報を登録した位置に対して、列情報ｍまたは行情報ｎが増加する方向に隣接する位置から順に、次のポンプ情報を登録する処理が繰り替えし実施される。その結果として、識別情報の読み込み順を反映したレイアウトで、データ登録画面Ａにポンプ情報が登録される。したがって、読取端末３０による識別情報の読み込み順を、ポンプＰｎ、ラックＬｍ、およびベッドＢの配置に沿った順にすることで、実際のポンプＰｎの配列を反映したレイアウトで、複数のポンプＰｎのポンプ情報を表示することができる。
【００５３】
≪医療用ポンプモニタ方法≫
次に、以上のような適用環境において実施される医療用ポンプモニタ装置を用いた医療用ポンプモニタ方法を詳細に説明する。ここでは、図１に示した適用環境を例にとり、この適用環境においての医療用ポンプモニタ方法を説明する。
【００５４】
＜読込ステップ＞
先ず読込ステップでは、読取端末３０を用いて、所定の順序に従って、ポンプＰｎに設けられたポンプ情報保持部２１のポンプ識別情報、ラックＬｍに設けられたラック情報保持部２３のラック識別情報、およびベッドＢに取り付けられたベッド情報保持部２５のベッド識別情報を読み取る。
【００５５】
読取端末３０による識別情報の読み取りは、ポンプＰｎ、ラックＬｍ、ベッドＢの配置状態に従って、一方の端から他方の端に向かって順次行われることが重要である。一例として、読取端末３０は、ベッドＢに向かって左端から右端に、上方から下方に向かって、順次識別情報を読み取る。
【００５６】
具体的には、先ず図１に示したポンプ管理を実施する環境において、左端に重ねて配置されたポンプＰ１，Ｐ２のポンプ識別情報を、上方から下方に向かって、ポンプＰ１、ポンプＰ２の順に読み込む。次に、ポンプＰ１、ポンプＰ２の右隣りに配置されたラックＬ１のラック識別情報を読み込む。次に、ラックＬ１の右隣に配置されたベッドＢのベッド識別情報を読み込み、次いでベッドＢの右隣に配置されたラックＬ２のラック識別情報を読み込む。
【００５７】
＜データ作成ステップ＞
データ作成ステップでは、読込ステップにおける識別情報の読み込み順を保ったレイアウトで、各駆動情報を表示するための画像データを作成する。この際、モニタ装置１の演算処理部４３が、先に図３および図４のフローチャートを用いて説明した手順で画像データを作成することにより、ポンプ識別情報、ラック識別情報、およびベッド識別情報の読み込み順を保ったレイアウトで、ポンプＰｎの駆動情報、ベッド位置情報、ラック位置情報を表示するための画像データを作成する。さらに演算処理部４３は、ラックＬｍへの装着位置を保ったレイアウトで、当該ラックＬｍに装着された各医療用ポンプＰｎの駆動情報を表示するための画像データを作成する。この際、演算処理部４３は、ラック識別情報に対して関連付けされたラックＬｍにおける医療用ポンプＰｎの装着位置情報に基づいて、画像データを作成する。
【００５８】
以上のようなデータ作成ステップにおける画像データの作成は、次のようである。
【００５９】
先ず、先の読取ステップにおいて読取端末３０は、図５に示したように、ベッドＢよりも左側のエリアにおいて、最も左端に重ねて配置されたポンプＰ１，Ｐ２のうち、ポンプＰ１のポンプ情報保持部２１からポンプ識別情報を読み込む。このため、演算処理部４３は、フローチャートにしたがい、データ登録画面Ａにおけるベッド表示部ａよりも左側の表示エリアにおけるｍ＝１列目のｎ＝１行目のポンプ表示部ａｐにポンプ登録を行う。
【００６０】
その後、読取端末３０は、ポンプＰ１の次に、ポンプＰ２のポンプ情報保持部２１からポンプ識別情報を読み込む。これにより演算処理部４３は、フローチャートにしたがって、ポンプＰ２のポンプ識別情報を登録する。すなわち、データ登録画面Ａにおけるベッド表示部ａよりも左側の表示エリアにおいて、直前にポンプＰ１のポンプ情報が登録されたｍ＝１列目、ｎ＝１行目のポンプ表示部ａｐに対して位置に隣接するｍ＝１列目、ｎ＝２行目のポンプ表示部ａｐに、次に入力されたポンプＰ２のポンプ識別情報を関連付けして登録する。
【００６１】
次に、先の読取ステップにおいて読取端末３０は、図６に示したように、ポンプＰ１，ポンプＰ２の右隣のラックＬ１のラック情報保持部２３からラック識別情報を読み込む。これにより演算処理部４３は、フローチャートにしたがい、データ登録画面Ａにおけるベッド表示部ａよりも左側の表示エリアにおける、ｍ＝２列目のラック表示部ａｌにおいて、入力されたラック識別情報に関連付けされたポンプ装着位置に対応する各行に各ポンプ識別情報を登録する。
【００６２】
次に、先の読取ステップにおいて読取端末３０は、図７に示したように、ベッドＢのベッド情報保持部２５からベッド識別情報を読み込む。これにより演算処理部４３は、フローチャートにしたがい、データ登録画面Ａを作成するためのテーブルにおけるベッド表示部ａに、ベッド識別情報を登録する。
【００６３】
次に、先の読取ステップにおいて読取端末３０は、図８に示したように、ベッドＢの右隣のラックＬ２におけるラック識別情報を読み込む。これにより演算処理部４３は、フローチャートにしたがい、データ登録画面Ａ中におけるベッド表示部ａよりも右側の表示エリアに登録を行うように登録エリアを移動する。そして、ベッド表示部ａよりも右側の表示エリアにおけるｍ＝２列目のラック表示部ａｌにおいて、入力されたラック識別情報に関連付けされたポンプの各装着位置に対して、各ポンプ識別情報を登録する。
【００６４】
そして、読取ステップにおいての読取が終了して、読取端末３０から終了情報を入力すると、演算処理部４３は、データ登録画面Ａのうち、情報が登録されていない列の表示を削除する。これにより、図９に示すように、演算処理部４３は、残った列に登録された情報のみで構成された登録画面Ａ’の画像データを作成する。
【００６５】
＜表示ステップ＞
表示ステップでは、以上のようにデータ作成ステップで作成した画像データを、セントラルモニタ５１およびベッドサイドモニタ５３に表示する。
【００６６】
ここで図１０には、モニタ装置１におけるセントラルモニタ５１の表示画像Ｓ１を示す。この図に示すように、セントラルモニタ５１の表示画像Ｓ１は、ここで管理する複数のベッドＢのベッド情報を表示する。各ベッド表示Ｂｉは、患者情報等を表示する。またセントラルモニタ５１は、図１１の表示画像Ｓ２に示すように、あるベッド表示Ｂｉ（ここではベッド：１００２）を指定することにより、縮小された表示画像Ｓ１と共に、指定されたベッド表示Ｂｉに関連付けられた詳細情報画像Ｓ３を表示する。
【００６７】
この詳細情報画像Ｓ３は、先に作成した登録画面Ａ’に対応する画像を表示し、各ポンプＰｎのポンプ情報を、各ポンプＰｎを登録したポンプ表示部ａｐ，ａｐ’に表示する。各ポンプ情報Ｐｉは、例えば薬剤名、流量、積算量などである。演算処理部４３では、各ポンプＰｎから送信されたポンプ情報に基づき、ポンプの駆動状態が正常でないと判断された場合には、そのポンプＰｎのポンプ情報Ｐｉおよびベッド表示Ｂｉをカラー反転させて表示してもよい。
【００６８】
なお、ベッドサイドモニタ５３には、図１２に示すように詳細情報画像Ｓ３が表示される。この詳細情報画像Ｓ３は、セントラルモニタ５１に表示される詳細情報画像Ｓ３と同じものである。
【００６９】
特に、図１１および図１２の詳細情報画像Ｓ３は、ポンプＰｎのポンプ情報Ｐｉを、実際のポンプＰｎの配置状態を反映した配置でポンプ情報Ｐｉを表示する。すなわち、この詳細情報画像Ｓ３が、先のデータ作成ステップにおいて作成された画像データに基づく表示画像である。
【００７０】
詳細情報画像Ｓ３におけるポンプ情報Ｐｉ，ラック表示Ｌｉ、およびベッド表示Ｂｉの配置は、図１におけるポンプＰｎ，ラックＬｍ、およびベッドＢの配置を保っている。これは、読取端末３０が、上述した所定の順番で識別情報の読み取りを行い、さらに演算処理部４３が、この読み取り順を保ったレイアウトでポンプＰｎ，ラックＬｍ、およびベッドＢに関係づけられたデータを表示するように、画像データを作成しているためである。
【００７１】
また、ラック表示Ｌｉは、ポンプ情報Ｐｉも含んでいる。このようなラック表示Ｌｉに含まれているポンプ情報Ｐｉの配置は、図１においてラックＬｍに装着されているポンプＰｎの配置に対応している。これは、演算処理部４３が、読込ステップにおいて読み込まれたラック識別情報に基づく装着順を保ったレイアウトで、各ポンプＰｎに関連付けられたデータを表示するように、画像データを作成しているためである。
【００７２】
以上説明したように本実施形態のモニタ装置１およびモニタ方法は、ポンプ識別情報に関連付けされたポンプ情報Ｐｉを、読取端末３０によるポンプ識別情報の読み込み順を保ったレイアウトで表示する構成である。このため、読取端末３０によるポンプ識別情報の読み込み順を、ポンプＰｎの配置に沿った順にすることで、実際のポンプＰｎの配列を反映したレイアウトで、複数のポンプＰｎのポンプ情報Ｐｉを表示することができる。
【００７３】
これにより、セントラルモニタ５１やベッドサイドモニタ５３等の表示画像上のポンプ情報Ｐｉと、ベッドサイドに配置された実際のポンプＰｎとを容易に対応付けすることが可能になる。この結果、複数のポンプＰｎの中から、表示画像上でポンプ情報Ｐｉを確認した目的のポンプＰｎを迅速に検知することが可能となり、緊急対応時であっても的確な処置を行うことが可能になる。
【００７４】
なお、本発明は上述しかつ図面に示した実施形態および変形例に限定されるものではなく、特許請求の範囲に記載した発明の要旨を逸脱しない範囲内で種々の変形実施が可能である。
【００７５】
例えば医療用ポンプモニタ装置において、演算処理部４３は、順次に読み取った識別情報に対してアドレスを付与して画像データを作成してもよい。この場合、ベッド識別情報に対してもアドレスを付与する。
【００７６】
また医療用ポンプモニタ方法においては、読取端末３０による識別情報の読み込みの順番は、一方の端から他方の端に向かって、順次、識別情報を読み取る手順であれば、このような順番に限定されることはなく、右端から左端に向かって識別情報を読み取ってもよい。この場合、演算処理部４３は、図３および図４のフローチャートを用いて説明した処理において、左右を逆転させた処理を行う。
【符号の説明】
【００７７】
１…医療用ポンプモニタ装置、３０…読取端末、４３…演算処理部、Ｂ…ベッド、Ｌｍ…ポンプラック、Ｐｎ，Ｐ１，Ｐ２，…  …医療用ポンプ
【図１】
0006490666.tif 000002
【図２】
0006490666.tif 000003
【図３】
0006490666.tif 000004
【図４】
0006490666.tif 000005
【図５】
0006490666.tif 000006
【図６】
0006490666.tif 000007
【図７】
0006490666.tif 000008
【図８】
0006490666.tif 000009
【図９】
0006490666.tif 000010
【図１０】
0006490666.tif 000011
【図１１】
0006490666.tif 000012
【図１２】
0006490666.tif 000013